(57)【要約】  ＢＤコンテンツ再生中に、ユーザにその時点の状態を通知したり、最適なＵＩを自動で提供することができるＢＤ再生システム、ＢＤ再生装置、表示装置及びコンピュータプログラム。ＢＤ再生装置（１１０）は、ディスク読込部（１１１）から受け取った制御データを解析し、ディスクがインタラクティブコンテンツを含むか、または含んでいた場合はインタラクティブコンテンツを再生すべきかどうかを判断するインタラクティブコンテンツ判断部（１１３）を備える。また、表示・操作装置（１２０）は、通信部（１２４）からの入力によりＢＤ再生装置（１１０）の状態を判断し、適切なＨＭＩを表示するＨＭＩ制御部（１２３）を備える。ＨＭＩ制御部（１２３）は、インタラクティブコンテンツであると判別した場合、インタラクティブコンテンツであることをユーザに通知する制御を行う。
2010047123.tif 000002
【特許請求の範囲】
【請求項１】
ＢＤ（Blu-ray Disc）コンテンツを再生するＢＤ再生装置と、前記ＢＤ再生装置から伝送されるＢＤコンテンツを表示する表示装置とを備えるＢＤ再生システムであって、
再生中コンテンツがインタラクティブコンテンツであることを判別するインタラクティブコンテンツ判別部と、
前記インタラクティブコンテンツであると判別した場合、インタラクティブコンテンツであることをユーザに通知する制御を行う制御部と、
を備えるＢＤ再生システム。
【請求項２】
ＵＩ（User Interface）部を備え、
前記制御部は、前記インタラクティブコンテンツであると判別した場合、前記ＵＩ部によるＵＩを変える請求項１記載のＢＤ再生システム。
【請求項３】
前記ＢＤ再生装置は、電源復帰後、再び該当箇所から映像・音声を再開するレジューム機能を有し、
前記制御部は、前記インタラクティブコンテンツであると判別した場合、前記レジューム不可であることを通知する請求項１記載のＢＤ再生システム。
【請求項４】
前記制御部は、前記インタラクティブコンテンツ中に表示できない項目を消去する請求項１記載のＢＤ再生システム。
【請求項５】
ＢＤ（Blu-ray Disc）コンテンツを再生するＢＤ再生装置であって、
再生中コンテンツがインタラクティブコンテンツであることを判別するインタラクティブコンテンツ判別部と、
前記インタラクティブコンテンツ判別部における判別結果を、前記ＢＤ再生装置の通信相手である外部機器に送信する通信部と、
を備えるＢＤ再生装置。
【請求項６】
ＢＤ（Blu-ray Disc）再生装置から伝送されてくるＢＤコンテンツを表示する表示装置であって、
前記ＢＤ再生装置は、再生中コンテンツがインタラクティブコンテンツであることを判別すると、その判別結果を前記表示装置に送信し、
前記表示装置は、
前記ＢＤ再生装置からの判別結果を受信する通信部と、
前記通信部が判別結果を受け取ると、現在インタラクティブコンテンツが再生されていることをユーザに通知する制御を行う制御部と、
を備える表示装置。
【請求項７】
ＢＤ（Blu-ray Disc）コンテンツを再生するＢＤ再生装置と、前記ＢＤ再生装置から伝送されるＢＤコンテンツを表示する表示装置とを備えるＢＤ再生システム向けのコンピュータプログラムであって、
再生中コンテンツがインタラクティブコンテンツであることを判別するための処理を前記ＢＤ再生装置に実行させるインタラクティブコンテンツ判別ステップと、
前記インタラクティブコンテンツであると判別した場合、インタラクティブコンテンツであることをユーザに通知するための処理を前記表示装置に実行させる制御ステップと、
を備えるコンピュータプログラム。
【請求項８】
ＢＤ（Blu-ray Disc）コンテンツを再生するＢＤ再生装置向けのコンピュータプログラムであって、
再生中コンテンツがインタラクティブコンテンツであることを判別するための処理をコンピュータに実行させるインタラクティブコンテンツ判別ステップと、
前記インタラクティブコンテンツ判別ステップにおける判別結果を、前記ＢＤ再生装置の通信相手となる外部機器に送信するための処理をコンピュータに実行させる通信ステップと、
を備えるコンピュータプログラム。
【請求項９】
ＢＤ（Blu-ray Disc）再生装置から伝送されてくるＢＤコンテンツを表示する表示装置向けのコンピュータプログラムであって、
前記ＢＤ再生装置は、再生中コンテンツがインタラクティブコンテンツであることを判別すると、その判別結果を前記表示装置に送信し、
前記コンピュータプログラムは、
前記ＢＤ再生装置からの判別結果を受信するための処理をコンピュータに実行させる通信ステップと、
前記コンピュータが判別結果を受け取ると、現在インタラクティブコンテンツが再生されていることをユーザに通知する制御をコンピュータに実行させる制御ステップと、
を備えるコンピュータプログラム。
【発明の詳細な説明】
【技術分野】
【０００１】
本発明は、ＢＤコンテンツを再生するＢＤ再生システム、ＢＤ再生装置、表示装置及びコンピュータプログラムに関し、例えば、ＢＤ再生部と表示・操作部が車載環境における伝送路に接続されるＢＤ再生システムに関する。
【背景技術】
【０００２】
近年、デジタル技術及び通信技術の進歩に伴い、車載用の電子機器も多種多様なものが開発されている。車載用の電子機器では、ナビゲーションシステム、ＤＶＤ（Digital Versatile Disk）プレーヤ及びテレビ受信機のように、ＬＣＤ等の表示器を利用して、ＣＤ−ＲＯＭやＤＶＤ等の記録媒体に記録された画像又はテレビジョン放送の画像等を表示する表示装置がある。【０００３】
特許文献１には、タッチパネルによる操作に適したタッチパネル用のメニュー画面と、リモートコマンダによる操作に適したリモートコマンダ用のメニュー画面とを切り換えて表示してユーザによる操作を受け付ける車載装置が記載されている。【０００４】
また、車載用のマルチメディア機器として、ＢＤ（Blu-ray Disc）導入が検討されている。【０００５】
ＢＤのアプリケーションフォーマットには、記録可能なＢＤ−ＲＥ及びＢＤ−Ｒ用のフォーマットであるＢＤＡＶ（Blu-ray Disc Audio & Video）と、再生専用のＢＤ−ＲＯＭ用のフォーマットであるＢＤＭＶ（Blu-ray Disc Movie & Video）とがある。ＢＤＭＶは、ユーザがプレーヤ上の画面などで見るタイトルリストとプレイリストとの間にオブジェクト層がある。オブジェクトには、ＭｏｖｉｅＯｂｊｅｃｔとＢＤ−Ｊ Ｏｂｊｅｃｔがあり、タイトルリストの内の１つのタイトルに上記いずれかのオブジェクトが対応する。ＢＤ−Ｊ Ｏｂｊｅｃｔでは、ＢＤ−Ｊと呼ばれるＪａｖａ（登録商標）言語をサポートしており、(1)インターネット接続、(2)関連コンテンツダウンロード、(3)言語字幕ダウンロード、(4)サイト連携、(5)ゲーム、(6)記録媒体へのダウンロードなどが可能になる。
【先行技術文献】
【特許文献】
【０００６】
【特許文献１】特開２００５−９６５９６号公報
【発明の概要】
【発明が解決しようとする課題】
【０００７】
しかしながら、車載用のマルチメディア機器として、ＢＤを導入しようとすると以下の課題がある。【０００８】
従来は、再生中コンテンツが通常の映像・音声のみかインタラクティブコンテンツ（ＢＤ−Ｊ／ＢＤ−Ｌｉｖｅ等）であるかどうかをＢＤ再生装置と表示・操作装置の間で通知していなかった。【０００９】
このため、上記ＢＤ再生装置と上記表示・操作装置間で異なるＵＩ（User Interface）が必要であった場合に、ユーザが明示的にＵＩを切り替える必要がある。よって、ユーザが現在の状況を把握できない、また煩雑な操作を行わなければならないといった課題があった。【００１０】
本発明の目的は、ＢＤコンテンツ再生中に、ユーザにその時点の状態を通知したり、最適なＵＩを自動で提供したりすることができるＢＤ再生システム、ＢＤ再生装置、表示装置及びコンピュータプログラムを提供することである。
【課題を解決するための手段】
【００１１】
本発明のＢＤ再生システムは、ＢＤコンテンツを再生するＢＤ再生装置と、前記ＢＤ再生装置から伝送されるＢＤコンテンツを表示する表示装置とを備え、再生中コンテンツがインタラクティブコンテンツであることを判別するインタラクティブコンテンツ判別部と、前記インタラクティブコンテンツであると判別した場合、インタラクティブコンテンツであることをユーザに通知する制御を行う制御部と、を備える。【００１２】
本発明のＢＤ再生装置は、ＢＤコンテンツを再生するＢＤ再生装置であって、再生中コンテンツがインタラクティブコンテンツであることを判別するインタラクティブコンテンツ判別部と、前記インタラクティブコンテンツ判別部における判別結果を、前記ＢＤ再生装置の通信相手である外部機器に送信する通信部と、を備える。【００１３】
本発明の表示装置は、ＢＤ再生装置から伝送されてくるＢＤコンテンツを表示する表示装置であって、前記ＢＤ再生装置は、再生中コンテンツがインタラクティブコンテンツであることを判別すると、その判別結果を前記表示装置に送信し、前記表示装置は、前記ＢＤ再生装置からの判別結果を受信する通信部と、前記通信部が判別結果を受け取ると、現在インタラクティブコンテンツが再生されていることをユーザに通知する制御を行う制御部と、を備える。
【発明の効果】
【００１４】
本発明によれば、ＢＤコンテンツ再生中に、ユーザにその時点の状態を通知することができ、最適なＵＩを自動で提供することができる。例えば、インタラクティブコンテンツ時に適切な表示を提供することで、ユーザが迅速に状況を把握することが可能になる。また、状況に応じて必要な操作体系を提示することができ、ユーザが混乱なく操作することができる。
【図面の簡単な説明】
【００１５】
【図１】本発明の一実施の形態に係るＢＤ再生システムの構成を示すブロック図
【図２】上記実施の形態に係るＢＤ再生システムのＢＤＭＶのデータ構造を示す図
【図３】図３Ａ及び図３Ｂは、上記実施の形態に係るＢＤ再生システムの表示部の表示例を示す図
【図４】図４Ａ及び図４Ｂは、上記実施の形態に係るＢＤ再生システムの表示部の表示例を示す図
【図５】図５Ａ及び図５Ｂは、上記実施の形態に係るＢＤ再生システムの表示部の表示例を示す図
【図６】上記実施の形態に係るＢＤ再生システムのＢＤ再生装置のインタラクティブコンテンツ通知処理を示すフロー図
【図７】上記実施の形態に係るＢＤ再生システムの表示・操作装置のインタラクティブコンテンツ出力処理を示すフロー図
【図８】上記実施の形態に係るＢＤ再生システムの表示・操作装置のインタラクティブコンテンツ出力処理を示すフロー図
【発明を実施するための形態】
【００１６】
以下、本発明の実施の形態について図面を参照して詳細に説明する。
【００１７】
（実施の形態）
図１は、本発明の一実施の形態に係るＢＤ再生システムの構成を示すブロック図である。本実施の形態は、ＢＤ再生システムを車載装置に適用した例である。
【００１８】
以下、明細書中において「インタラクティブコンテンツ」とは、ＢＤコンテンツが映像・音声のみでないコンテンツをいう。典型的なインタラクティブコンテンツには、ＢＤ−Ｊ／ＢＤ−Ｌｉｖｅコンテンツがある。
【００１９】
図１に示すように、ＢＤ再生システム１００は、ＢＤ再生装置１１０と、表示・操作装置１２０とから構成される。車載装置の場合、ＢＤ再生装置１１０は、ＢＤデッキユニットであり、表示・操作装置１２０は、ＨＭＩ（Human Machine Interface）ユニットである。
【００２０】
ＢＤ再生装置１１０と表示・操作装置１２０とは、物理的に離れた場所に設置され、有線又は無線通信により接続される。
【００２１】
ＢＤ再生装置１１０は、ディスク読込部１１１、映像音声復号部１１２、インタラクティブコンテンツ判断部１１３、インタラクティブコンテンツ再生部１１４、及び通信部１１５（通信部Ａ）を備えて構成される。
【００２２】
表示・操作装置１２０は、表示部１２１、操作部１２２、ＨＭＩ制御部１２３、通信部１２４（通信部Ｂ）を備えて構成される。
【００２３】
操作部１２２は、キー操作部のほか、タッチパネルやボタンスイッチ、リモコン等である。
【００２４】
ディスク読込部１１１は、ＢＤフォーマットのディスクを読み込み、読み出したデータを映像音声復号部１１２、インタラクティブコンテンツ判断部１１３に送信する。
【００２５】
映像音声復号部１１２は、ディスク読込部１１１から受け取った映像・音声データを復号し、復号した映像・音声データをデジタル又はアナログの映像及び音声に変換して、ＢＤ再生装置１１０外に出力する。
【００２６】
インタラクティブコンテンツ判断部１１３は、ディスク読込部１１１から受け取った制御データを解析し、ディスクがインタラクティブコンテンツ（例えばＢＤ−Ｊ）を含むか、または含んでいた場合はインタラクティブコンテンツを再生すべきかどうかを判断する。インタラクティブコンテンツ判断部１１３は、判断結果を通信部１１５に、またデータをインタラクティブコンテンツ再生部１１４に送信する。インタラクティブコンテンツ判断部１１３の動作の詳細については図６により後述する。
【００２７】
インタラクティブコンテンツ再生部１１４は、インタラクティブコンテンツ判断部１１３から受け取ったデータをＪＡＶＡ（登録商標） ＶＭ（Java Virtual Machine）上で再生し、映像及び音声としてＢＤ再生装置１１０外に出力する。なお、ＪＡＶＡ（登録商標） ＶＭは、機械語へのコンパイルは行わないのでＣＰＵ依存はない。
【００２８】
通信部１１５は、通信部１２４に有線又は無線で接続され、ＢＤ再生装置１１０全体の状態（再生／停止等の状態や再生中トラック番号、再生中時間、全トラック数、インタラクティブコンテンツの有無等の情報）を表示・操作装置１２０に出力する。また、通信部１１５は、表示・操作装置１２０からの制御情報（再生開始、停止、次トラック、早送り、一時停止、ディスク取出等）を受信してディスク読込部１１１を制御する。特に、通信部１１５は、インタラクティブコンテンツ再生中か否かを状態の一部として表示・操作装置１２０に通知する。
【００２９】
表示部１２１は、ＢＤ再生装置１１０及びＨＭＩ制御部１２３から出力された映像及び音声の表示及び出力を行う。
【００３０】
操作部１２２は、タッチパネル、ボタンスイッチ、リモコン等の１つ以上の組み合わせで、ユーザからの入力を検出し、操作情報をＨＭＩ制御部１２３に通知する。
【００３１】
ＨＭＩ制御部１２３は、操作部１２２から通知されたユーザの入力、通信部１２４から通知されたＢＤ再生装置１１０の状態に基づいて、表示するＨＭＩを決定・描画し、表示部１２１に出力する。ＨＭＩ制御部１２３は、操作部１２２からの入力に応じて画面遷移や表示の変更を行う。ＨＭＩ制御部１２３は、操作部１２２からの入力に応じて、ＢＤ再生装置１１０の制御（再生、停止、次トラック、早送り、一時停止、ディスク取出等）を通信部１２４に指示する。ＨＭＩ制御部１２３は、通信部１２４からの入出力によりＢＤ再生装置１１０の状態を判断し、適切なＨＭＩを表示する。ＨＭＩ制御部１２３の動作の詳細については図７及び図８により後述する。
【００３２】
通信部１２４は、ＢＤ再生装置１１０から受信した情報をＨＭＩ制御部１２３に通知する。また、通信部１２４は、ＨＭＩ制御部１２３から受信した情報をＢＤ再生装置１１０に通知する。
【００３３】
以下、上述のように構成されたＢＤ再生システム１００の動作について説明する。
【００３４】
まず、インタラクティブコンテンツ判断部１１３が実施するインタラクティブコンテンツ判別方法について説明する。
【００３５】
〔インタラクティブコンテンツ判別方法〕
図２は、ＢＤＭＶのデータ構造を示す図である。図２に示すように、ＢＤＭＶは、ｉｎｄｅｘ．ｂｄｍｖ、ＭｏｖｉｅＯｂｊｅｃｔ．ｂｄｍｖ、ＰＬＡＹＬＩＳＴ、ＣＬＩＰＩＮＦ、ＳＴＲＥＡＭ、ＡＵＸＤＡＴＡ、及びＢＡＣＫＵＰのディレクトリ構成を有する。
【００３６】
インタラクティブコンテンツ判断部１１３は、ＢＤ内部のＩｎｄｅｘ ｔａｂｌｅ ｆｉｌｅ（ｉｎｄｅｘ．ｂｄｍｖ）ファイルを解析する。
【００３７】
Ｉｎｄｅｘ ｔａｂｌｅ ｆｉｌｅには、ＢＤ内部に含まれるタイトル（コンテンツ）の情報が含まれている。
【００３８】
このタイトルには以下の三種類が存在する。・Ｆｉｒｓｔ Ｐｌａｙｂａｃｋ
ディスクが挿入されて最初に実行されるタイトル、ディスク内に１つのみ。・ＴｏｐＭｅｎｕ
リモコンの「メニュー」ボタン等が押されたときに実行されるメニューに相当するタイトル、ディスク内に１つのみ。・Ｔｉｔｌｅ
上記以外のタイトルは、１枚のディスクに複数存在可能である。
【００３９】
各タイトルはＭｏｖｉｅ Ｏｂｊｅｃｔ（映像音声のタイトル）かＢＤ−Ｊ Ｏｂｊｅｃｔ（ＢＤ−Ｊが実行されるインタラクティブタイトル）のどちらかである。
【００４０】
ここで、Ｆｉｒｓｔ Ｐｌａｙｂａｃｋが、Ｍｏｖｉｅ ＯｂｊｅｃｔかＢＤ−Ｊ Ｏｂｊｅｃｔであるかは、Ｉｎｄｅｘ ｔａｂｌｅ ｆｉｌｅのFirstPlayback_object_typeフィールドで判断できる。
【００４１】
ＴｏｐＭｅｎｕが、Ｍｏｖｉｅ ＯｂｊｅｃｔかＢＤ−Ｊ Ｏｂｊｅｃｔであるかは、Ｉｎｄｅｘ ｔａｂｌｅ ｆｉｌｅのTopMenu_object_typeフィールドで判断できる。
【００４２】
Ｔｉｔｌｅが、Ｍｏｖｉｅ ＯｂｊｅｃｔかＢＤ−Ｊ Ｏｂｊｅｃｔであるかは、Ｉｎｄｅｘ ｔａｂｌｅ ｆｉｌｅの各タイトル中のTitle_object_typeフィールドで判断できる。
【００４３】
例えば、上記のフィールドが２進数表記で「０１」の場合、そのタイトルはＭｏｖｉｅ Ｏｂｊｅｃｔであり、２進数表記で「１０」の場合、タイトルはＢＤ−Ｊ Ｏｂｊｅｃｔである。
【００４４】
インタラクティブコンテンツ判断部１１３は、上記判断基準に基づいて、Ｉｎｄｅｘ ｔａｂｌｅ ｆｉｌｅに含まれる全てのタイトルがＭｏｖｉｅ ＯｂｊｅｃｔかＢＤ−Ｊ Ｏｂｊｅｃｔかを判断する。ディスク中に一つでもＢＤ−Ｊ Ｏｂｊｅｃｔが存在した場合、インタラクティブコンテンツ判断部１１３は、そのディスクに「インタラクティブコンテンツが含まれる」と判断する。
【００４５】
次に、ＢＤ再生装置１１０及び表示・操作装置１２０の特徴動作について説明する。
【００４６】
〔ＢＤ再生装置１１０の特徴動作〕
ＢＤ再生装置１１０のインタラクティブコンテンツ判断部１１３は、ＢＤコンテンツがインタラクティブコンテンツ（ＢＤ−Ｊ／ＢＤ−Ｌｉｖｅ等）を再生中であることを動的に判断し、判断結果を通信部１１５を介して表示・操作装置１２０に通知する。
【００４７】
〔表示・操作装置１２０の特徴動作〕
図３乃至図５は、表示部１２１の表示例を示す図である。図３乃至図５に示すように、表示部１２１の表示画面２００は、コンテンツ表示領域２１０と、コンテンツ表示領域２１０上部の状態表示領域２２０とを有する。状態表示領域２２０には、ディスクがＢＤであることを示すＢＤ、トラック、及び再生時間が表示される。
【００４８】
ＨＭＩ制御部１２３は、再生中のコンテンツがインタラクティブコンテンツであること判断し、以下のような制御を行う。
【００４９】
（１）インタラクティブコンテンツを含むディスクである旨を表示する（図３Ｂ参照）。インタラクティブコンテンツを含むディスクである旨は、状態表示領域２２０の「ＢＤ−Ｊ」２２１で示される。
【００５０】
（２）インタラクティブコンテンツ再生中である旨を表示する（図３Ａ参照）。インタラクティブコンテンツ再生中は、状態表示領域２２０に、ＢＤ、トラック、及び再生時間が表示される。
【００５１】
（３）インタラクティブコンテンツ再生中に表示できない項目（トラック番号、再生時間等）を消去する（図３Ｂ参照）。インタラクティブコンテンツ再生中に表示できない項目の場合は、状態表示領域２２０のトラック、及び再生時間がブランクで表示される。
【００５２】
（４）電源断後の再開時にレジューム不可であること（ディスクの先頭又はインタラクティブコンテンツの先頭から再開してしまうこと）を表示、及び／又は音声により通知する（図４Ｂ参照）。電源断後の再開時にレジューム不可である場合は、コンテンツ表示領域２１０中央に、コンテンツ表示領域２１０のほぼ全面に「インタラクティブコンテンツのため電源断後にレジュームできません」２２２を表示する。レジュームとは、ユーザが任意の映像箇所で停止して電源断し、電源復帰後再び該当箇所から映像・音声を再開することである。ユーザは、ＢＤがレジュームできないこと、すなわち、再開時にレジュームされないことが操作ミス・故障などに起因しないことをあらかじめ理解しておくことができる。
【００５３】
（５）インタラクティブコンテンツの操作に必要なＵＩ２２３を表示する（図５Ｂ参照）。インタラクティブコンテンツでない場合は、タッチパネルによる動的なＵＩ変更を利用して、該当ＵＩを消去する（図５Ａ参照）。
【００５４】
図６は、ＢＤ再生装置１１０のインタラクティブコンテンツ通知処理を示すフロー図である。本フローは、所定イベント毎に実行される。図中、Ｓはフローの各ステップを示す。
【００５５】
ステップＳ１では、ディスク読込部１１１は、映像・音声以外の制御データを受信する。
【００５６】
ステップＳ２では、インタラクティブコンテンツ判断部１１３は、インタラクティブコンテンツを含むか否かを判断する。インタラクティブコンテンツを含むか否かの判断方法については、上述した。
【００５７】
インタラクティブコンテンツが含まれない場合は、ステップＳ３でインタラクティブコンテンツ判断部１１３は、通信部１１５に「インタラクティブコンテンツを含まない」「インタラクティブコンテンツ停止中」と通知して本フローを終了する。通信部１１５は、表示・操作装置１２０の通信部１２４にこの通知結果を送信する。
【００５８】
インタラクティブコンテンツが含まれる場合は、ステップＳ４でインタラクティブコンテンツ判断部１１３は、インタラクティブコンテンツを再生するか否かを判断する。インタラクティブコンテンツを再生するか否かは、自動再生モードのほか、ユーザ操作による。
【００５９】
インタラクティブコンテンツを再生しない場合は、ステップＳ５でインタラクティブコンテンツ判断部１１３は、通信部１１５に「インタラクティブコンテンツを含む」「インタラクティブコンテンツ停止中」と通知して本フローを終了する。通信部１１５は、表示・操作装置１２０の通信部１２４にこの通知結果を送信する。
【００６０】
インタラクティブコンテンツを再生する場合は、ステップＳ６でインタラクティブコンテンツ判断部１１３は、インタラクティブコンテンツ再生部１１４にコンテンツ再生を指示する。
【００６１】
ステップＳ７では、インタラクティブコンテンツ判断部１１３は、通信部１１５に「インタラクティブコンテンツを含む」「インタラクティブコンテンツ再生中」と通知して本フローを終了する。通信部１１５は、表示・操作装置１２０の通信部１２４にこの通知結果を送信する。
【００６２】
図７及び図８は、表示・操作装置１２０のインタラクティブコンテンツ出力処理を示すフロー図である。
【００６３】
ステップＳ１１では、操作部１２２は、入力情報を取得する。
【００６４】
ステップＳ１２では、ＨＭＩ制御部１２３は、操作部１２２からの入力があるか否かを判別し、入力がある場合はステップＳ１３に進み、入力がない場合はステップＳ１４に進む。
【００６５】
ステップＳ１３では、ＨＭＩ制御部１２３は、通信部１２４にＢＤ再生装置１１０の制御を指示する。ここでは、ＨＭＩ制御部１２３は、ＢＤ再生装置１１０の状態を取得する制御である。
【００６６】
ステップＳ１４では、ＨＭＩ制御部１２３は、通信部１２４からＢＤ再生装置１１０の状態を取得する。
【００６７】
ステップＳ１５では、ＨＭＩ制御部１２３は、インタラクティブコンテンツを含むか否かを判別する。ＨＭＩ制御部１２３は、通信部１２４を介して、ＢＤ再生装置１１０から受信したインタラクティブコンテンツ通知により、インタラクティブコンテンツを含むか否かを判別することができる。
【００６８】
インタラクティブコンテンツを含まない場合は、ステップＳ１６でＨＭＩ制御部１２３は、インタラクティブコンテンツを含まないディスクであることを表示部１２１に出力して本フローを終了する。表示部１２１は、図３Ａに示すようにインタラクティブコンテンツを含まないディスクであることを表示する。
【００６９】
上記ステップＳ１５でインタラクティブコンテンツを含む場合は、ステップＳ１７でＨＭＩ制御部１２３は、インタラクティブコンテンツを含むディスクであることを表示部１２１に出力する。
【００７０】
ステップＳ１８では、ＨＭＩ制御部１２３は、インタラクティブコンテンツの再生開始時か否かを判別し、インタラクティブコンテンツの再生開始時でない場合は本フローを終了する。
【００７１】
インタラクティブコンテンツの再生開始時の場合は、ステップＳ１９でＨＭＩ制御部１２３は、インタラクティブコンテンツ操作用のＵＩを表示部１２１に出力する。表示部１２１は、図５Ｂに示すようにインタラクティブコンテンツ操作用のＵＩ２２３を表示する。
【００７２】
ステップＳ２０では、ＨＭＩ制御部１２３は、電源断後の再開時にレジュームできないことを表示部１２１に出力する。表示部１２１は、図４Ｂに示すようにコンテンツ表示領域２１０のほぼ全面に「インタラクティブコンテンツのため電源断後にレジュームできません」２２２を表示する。
【００７３】
電源断後にレジュームできないことは、音声により通知してもよい。例えば、図示しない音声合成ＬＳＩが音声によりユーザに通知してもよい。また、表示と音声の両方でユーザに通知してもよい。
【００７４】
ステップＳ２１では、ＨＭＩ制御部１２３は、インタラクティブコンテンツの再生終了時か否かを判別し、インタラクティブコンテンツの再生終了時でない場合は本フローを終了する。
【００７５】
インタラクティブコンテンツの再生終了時の場合は、ステップＳ２２でＨＭＩ制御部１２３は、映像・音声操作用のＵＩを表示部１２１に出力する。表示部１２１は、図５Ｂに示すようにインタラクティブコンテンツ操作用のＵＩ２２３を表示する。
【００７６】
ステップＳ２３では、ＨＭＩ制御部１２３は、インタラクティブコンテンツを再生中か否かを判別し、インタラクティブコンテンツを再生中の場合はステップＳ２４に進み、インタラクティブコンテンツを再生中でない場合はステップＳ２６に進む。
【００７７】
ステップＳ２４では、ＨＭＩ制御部１２３は、インタラクティブコンテンツの再生中であることを表示部１２１に出力する。表示部１２１は、図３Ａに示すようにインタラクティブコンテンツの再生中であることを表示する。
【００７８】
ステップＳ２５では、ＨＭＩ制御部１２３は、インタラクティブコンテンツの再生時に表示できない項目（例えばトラック番号等）を削除して表示部１２１に出力する。表示部１２１は、図３Ｂに示すようにインタラクティブコンテンツの再生時に表示できない項目を削除して表示する。
【００７９】
上記ステップＳ２３でインタラクティブコンテンツを再生中でない場合は、ステップＳ２６でＨＭＩ制御部１２３は、インタラクティブコンテンツの再生中の表示を削除して表示部１２１への出力を行う。表示部１２１は、図５Ａに示すようにインタラクティブコンテンツの再生時に表示できない項目を削除して表示を行う。
【００８０】
ステップＳ２７では、ＨＭＩ制御部１２３は、インタラクティブコンテンツの再生時に表示できない項目を表示して表示部１２１への出力を行う。表示部１２１は、図５Ｂに示すようにインタラクティブコンテンツの再生時に表示できない項目を削除して表示を行う。
【００８１】
以上詳細に説明したように、本実施の形態によれば、ＢＤ再生システム１００は、ＢＤ再生装置１１０と、表示・操作装置１２０とから構成される。ＢＤ再生装置１１０は、インタラクティブコンテンツ判断部１１３を備える。インタラクティブコンテンツ判断部１１３は、ディスク読込部１１１から受け取った制御データを解析する。そして、インタラクティブコンテンツ判断部１１３は、ディスクがインタラクティブコンテンツを含むか、また含んでいた場合は、インタラクティブコンテンツを再生すべきかどうかを判断する。また、表示・操作装置１２０は、通信部１２４からの入力によりＢＤ再生装置１１０の状態を判断し、適切なＨＭＩを表示するＨＭＩ制御部１２３を備える。ＨＭＩ制御部１２３は、インタラクティブコンテンツであると判別した場合、インタラクティブコンテンツであることをユーザに通知する制御を行う。
【００８２】
以上の制御により、ＨＭＩ制御部１２３がインタラクティブコンテンツ時に適切な表示を提供することで、ユーザが迅速に状況を把握することが可能になる。
【００８３】
また、状況に応じて必要な操作体系を提示することができ、ユーザが混乱なく操作することができる。特に、インタラクティブコンテンツの場合には、電源断後のレジューム不可を知らせることで、無用な混乱を未然に回避することができる。具体的には、パーソナルコンピュータ（以下、ＰＣという）の分野ではメモリ内の情報を全て保存する等の方法でレジューム機能が実現可能である。それゆえ、ＰＣに慣れているユーザは、車載機器で実行されるインタラクティブコンテンツもレジュームされると思いがちであると想定される。しかしながら、車載機器の分野では、メモリ容量や電源環境の制約などにより、レジューム機能を実装することは容易ではない。このため、本実施の形態のように、予めレジューム機能が無いことをユーザに通知することは、ユーザの無用な混乱を回避するために有益である。以上のように、本実施の形態は、車載環境で用いられるマルチメディア機器制御システムに適用して好適である。
【００８４】
以上の説明は本発明の好適な実施の形態の例証であり、本発明の範囲はこれに限定されることはない。
【００８５】
例えば、ＢＤ再生装置１１０と表示・操作装置１２０が別体であるが、一体であってもよい。またＢＤ再生装置１１０と表示・操作装置１２０とを繋ぐ伝送路はどのようなものでもよい。伝送路には、例えば、ＩＥＥＥ（Institute of Electrical and Electronics Engineers）１３９４ High Performance Serial Bus（以下、ＩＥＥＥ１３９４）規格、又はＭＯＳＴ（Media Oriented Systems Transport）により規定されるバス型のネットワークがある。また、通信方式は有線、無線いずれでもよい。
【００８６】
また、本実施の形態では、説明の便宜上、ＢＤ再生システムという名称を用いたが、機器連携装置、車載通信装置、マルチメディア機器制御システム等の名称であってもよいことは勿論である。
【００８７】
さらに、上記ＢＤ再生システムを構成する各回路部、例えば通信部、表示部等の種類、数及び接続方法などは前述した実施の形態に限られない。
【００８８】
また、以上説明したＢＤ再生システムを機能させるためのプログラムでも実現されてもかまわない。このプログラムはコンピュータで読み取り可能な記録媒体に格納されている。
【００８９】
２００８年１０月２４日出願の特願２００８−２７４８７７の日本出願に含まれる明細書、図面及び要約書の開示内容は、すべて本願に援用される。
【産業上の利用可能性】
【００９０】
本発明に係るＢＤ再生システム、ＢＤ再生装置、表示装置及びコンピュータプログラムは、車載環境におけるマルチメディア機器に有用である。また、車載環境に限らず、ＢＤ再生部と表示・操作部とが連携した機器連携装置であればどのような装置も適用できる。
【符号の説明】
【００９１】
１００  ＢＤ再生システム
１１０  ＢＤ再生装置
１２０  表示・操作装置
１１１  ディスク読込部
１１２  映像音声復号部
１１３  インタラクティブコンテンツ判断部
１１４  インタラクティブコンテンツ再生部
１１５，１２４  通信部
１２１  表示部
１２２  操作部
１２３  ＨＭＩ制御部
【図１】
2010047123.tif 000003
【図２】
2010047123.tif 000004
【図３】
2010047123.tif 000005
【図４】
2010047123.tif 000006
【図５】
2010047123.tif 000007
【図６】
2010047123.tif 000008
【図７】
2010047123.tif 000009
【図８】
2010047123.tif 000010
【手続補正書】
【提出日】平成22年12月8日(2010.12.8)
【手続補正１】
【補正対象書類名】明細書
【補正対象項目名】全文
【補正方法】変更
【補正の内容】
【発明の詳細な説明】
【技術分野】
【０００１】
本発明は、ＢＤコンテンツを再生するＢＤ再生システム、ＢＤ再生装置、表示装置及びコンピュータプログラムに関し、例えば、ＢＤ再生部と表示・操作部が車載環境における伝送路に接続されるＢＤ再生システムに関する。
【背景技術】
【０００２】
近年、デジタル技術及び通信技術の進歩に伴い、車載用の電子機器も多種多様なものが開発されている。車載用の電子機器では、ナビゲーションシステム、ＤＶＤ（Digital Versatile Disk）プレーヤ及びテレビ受信機のように、ＬＣＤ等の表示器を利用して、ＣＤ−ＲＯＭやＤＶＤ等の記録媒体に記録された画像又はテレビジョン放送の画像等を表示する表示装置がある。
【０００３】
特許文献１には、タッチパネルによる操作に適したタッチパネル用のメニュー画面と、リモートコマンダによる操作に適したリモートコマンダ用のメニュー画面とを切り換えて表示してユーザによる操作を受け付ける車載装置が記載されている。
【０００４】
また、車載用のマルチメディア機器として、ＢＤ（Blu-ray Disc）導入が検討されている。
【０００５】
ＢＤのアプリケーションフォーマットには、記録可能なＢＤ−ＲＥ及びＢＤ−Ｒ用のフォーマットであるＢＤＡＶ（Blu-ray Disc Audio & Video）と、再生専用のＢＤ−ＲＯＭ用のフォーマットであるＢＤＭＶ（Blu-ray Disc Movie & Video）とがある。ＢＤＭＶは、ユーザがプレーヤ上の画面などで見るタイトルリストとプレイリストとの間にオブジェクト層がある。オブジェクトには、ＭｏｖｉｅＯｂｊｅｃｔとＢＤ−Ｊ Ｏｂｊｅｃｔがあり、タイトルリストの内の１つのタイトルに上記いずれかのオブジェクトが対応する。ＢＤ−Ｊ Ｏｂｊｅｃｔでは、ＢＤ−Ｊと呼ばれるＪａｖａ（登録商標）言語をサポートしており、(1)インターネット接続、(2)関連コンテンツダウンロード、(3)言語字幕ダウンロード、(4)サイト連携、(5)ゲーム、(6)記録媒体へのダウンロードなどが可能になる。
【先行技術文献】
【特許文献】
【０００６】
【特許文献１】特開２００５−９６５９６号公報
【発明の概要】
【発明が解決しようとする課題】
【０００７】
しかしながら、車載用のマルチメディア機器として、ＢＤを導入しようとすると以下の課題がある。
【０００８】
従来は、再生中コンテンツが通常の映像・音声のみかインタラクティブコンテンツ（ＢＤ−Ｊ／ＢＤ−Ｌｉｖｅ等）であるかどうかをＢＤ再生装置と表示・操作装置の間で通知していなかった。
【０００９】
このため、上記ＢＤ再生装置と上記表示・操作装置間で異なるＵＩ（User Interface）が必要であった場合に、ユーザが明示的にＵＩを切り替える必要がある。よって、ユーザが現在の状況を把握できない、また煩雑な操作を行わなければならないといった課題があった。
【００１０】
本発明の目的は、ＢＤコンテンツ再生中に、ユーザにその時点の状態を通知したり、最適なＵＩを自動で提供したりすることができるＢＤ再生システム、ＢＤ再生装置、表示装置及びコンピュータプログラムを提供することである。
【課題を解決するための手段】
【００１１】
本発明のＢＤ再生システムは、ＢＤコンテンツを再生するＢＤ再生装置と、前記ＢＤ再生装置から伝送されるＢＤコンテンツを表示する表示装置とを備え、再生中コンテンツがインタラクティブコンテンツであることを判別するインタラクティブコンテンツ判別部と、前記インタラクティブコンテンツであると判別した場合、インタラクティブコンテンツであることをユーザに通知する制御を行う制御部と、を備える。
【００１２】
本発明のＢＤ再生装置は、ＢＤコンテンツを再生するＢＤ再生装置であって、再生中コンテンツがインタラクティブコンテンツであることを判別するインタラクティブコンテンツ判別部と、前記インタラクティブコンテンツ判別部における判別結果を、前記ＢＤ再生装置の通信相手である外部機器に送信する通信部と、を備える。
【００１３】
本発明の表示装置は、ＢＤ再生装置から伝送されてくるＢＤコンテンツを表示する表示装置であって、前記ＢＤ再生装置は、再生中コンテンツがインタラクティブコンテンツであることを判別すると、その判別結果を前記表示装置に送信し、前記表示装置は、前記ＢＤ再生装置からの判別結果を受信する通信部と、前記通信部が判別結果を受け取ると、現在インタラクティブコンテンツが再生されていることをユーザに通知する制御を行う制御部と、を備える。
【発明の効果】
【００１４】
本発明によれば、ＢＤコンテンツ再生中に、ユーザにその時点の状態を通知することができ、最適なＵＩを自動で提供することができる。例えば、インタラクティブコンテンツ時に適切な表示を提供することで、ユーザが迅速に状況を把握することが可能になる。また、状況に応じて必要な操作体系を提示することができ、ユーザが混乱なく操作することができる。
【図面の簡単な説明】
【００１５】
【図１】本発明の一実施の形態に係るＢＤ再生システムの構成を示すブロック図
【図２】上記実施の形態に係るＢＤ再生システムのＢＤＭＶのデータ構造を示す図
【図３】図３Ａ及び図３Ｂは、上記実施の形態に係るＢＤ再生システムの表示部の表示例を示す図
【図４】図４Ａ及び図４Ｂは、上記実施の形態に係るＢＤ再生システムの表示部の表示例を示す図
【図５】図５Ａ及び図５Ｂは、上記実施の形態に係るＢＤ再生システムの表示部の表示例を示す図
【図６】上記実施の形態に係るＢＤ再生システムのＢＤ再生装置のインタラクティブコンテンツ通知処理を示すフロー図
【図７】上記実施の形態に係るＢＤ再生システムの表示・操作装置のインタラクティブコンテンツ出力処理を示すフロー図
【図８】上記実施の形態に係るＢＤ再生システムの表示・操作装置のインタラクティブコンテンツ出力処理を示すフロー図
【発明を実施するための形態】
【００１６】
以下、本発明の実施の形態について図面を参照して詳細に説明する。
【００１７】
（実施の形態）
図１は、本発明の一実施の形態に係るＢＤ再生システムの構成を示すブロック図である。本実施の形態は、ＢＤ再生システムを車載装置に適用した例である。
【００１８】
以下、明細書中において「インタラクティブコンテンツ」とは、ＢＤコンテンツが映像・音声のみでないコンテンツをいう。典型的なインタラクティブコンテンツには、ＢＤ−Ｊ／ＢＤ−Ｌｉｖｅコンテンツがある。
【００１９】
図１に示すように、ＢＤ再生システム１００は、ＢＤ再生装置１１０と、表示・操作装置１２０とから構成される。車載装置の場合、ＢＤ再生装置１１０は、ＢＤデッキユニットであり、表示・操作装置１２０は、ＨＭＩ（Human Machine Interface）ユニットである。
【００２０】
ＢＤ再生装置１１０と表示・操作装置１２０とは、物理的に離れた場所に設置され、有線又は無線通信により接続される。
【００２１】
ＢＤ再生装置１１０は、ディスク読込部１１１、映像音声復号部１１２、インタラクティブコンテンツ判断部１１３、インタラクティブコンテンツ再生部１１４、及び通信部１１５（通信部Ａ）を備えて構成される。
【００２２】
表示・操作装置１２０は、表示部１２１、操作部１２２、ＨＭＩ制御部１２３、通信部１２４（通信部Ｂ）を備えて構成される。
【００２３】
操作部１２２は、キー操作部のほか、タッチパネルやボタンスイッチ、リモコン等である。
【００２４】
ディスク読込部１１１は、ＢＤフォーマットのディスクを読み込み、読み出したデータを映像音声復号部１１２、インタラクティブコンテンツ判断部１１３に送信する。
【００２５】
映像音声復号部１１２は、ディスク読込部１１１から受け取った映像・音声データを復号し、復号した映像・音声データをデジタル又はアナログの映像及び音声に変換して、ＢＤ再生装置１１０外に出力する。
【００２６】
インタラクティブコンテンツ判断部１１３は、ディスク読込部１１１から受け取った制御データを解析し、ディスクがインタラクティブコンテンツ（例えばＢＤ−Ｊ）を含むか、または含んでいた場合はインタラクティブコンテンツを再生すべきかどうかを判断する。インタラクティブコンテンツ判断部１１３は、判断結果を通信部１１５に、またデータをインタラクティブコンテンツ再生部１１４に送信する。インタラクティブコンテンツ判断部１１３の動作の詳細については図６により後述する。
【００２７】
インタラクティブコンテンツ再生部１１４は、インタラクティブコンテンツ判断部１１３から受け取ったデータをＪＡＶＡ（登録商標） ＶＭ（Java Virtual Machine）上で再生し、映像及び音声としてＢＤ再生装置１１０外に出力する。なお、ＪＡＶＡ（登録商標） ＶＭは、機械語へのコンパイルは行わないのでＣＰＵ依存はない。
【００２８】
通信部１１５は、通信部１２４に有線又は無線で接続され、ＢＤ再生装置１１０全体の状態（再生／停止等の状態や再生中トラック番号、再生中時間、全トラック数、インタラクティブコンテンツの有無等の情報）を表示・操作装置１２０に出力する。また、通信部１１５は、表示・操作装置１２０からの制御情報（再生開始、停止、次トラック、早送り、一時停止、ディスク取出等）を受信してディスク読込部１１１を制御する。特に、通信
部１１５は、インタラクティブコンテンツ再生中か否かを状態の一部として表示・操作装置１２０に通知する。
【００２９】
表示部１２１は、ＢＤ再生装置１１０及びＨＭＩ制御部１２３から出力された映像及び音声の表示及び出力を行う。
【００３０】
操作部１２２は、タッチパネル、ボタンスイッチ、リモコン等の１つ以上の組み合わせで、ユーザからの入力を検出し、操作情報をＨＭＩ制御部１２３に通知する。
【００３１】
ＨＭＩ制御部１２３は、操作部１２２から通知されたユーザの入力、通信部１２４から通知されたＢＤ再生装置１１０の状態に基づいて、表示するＨＭＩを決定・描画し、表示部１２１に出力する。ＨＭＩ制御部１２３は、操作部１２２からの入力に応じて画面遷移や表示の変更を行う。ＨＭＩ制御部１２３は、操作部１２２からの入力に応じて、ＢＤ再生装置１１０の制御（再生、停止、次トラック、早送り、一時停止、ディスク取出等）を通信部１２４に指示する。ＨＭＩ制御部１２３は、通信部１２４からの入出力によりＢＤ再生装置１１０の状態を判断し、適切なＨＭＩを表示する。ＨＭＩ制御部１２３の動作の詳細については図７及び図８により後述する。
【００３２】
通信部１２４は、ＢＤ再生装置１１０から受信した情報をＨＭＩ制御部１２３に通知する。また、通信部１２４は、ＨＭＩ制御部１２３から受信した情報をＢＤ再生装置１１０に通知する。
【００３３】
以下、上述のように構成されたＢＤ再生システム１００の動作について説明する。
【００３４】
まず、インタラクティブコンテンツ判断部１１３が実施するインタラクティブコンテンツ判別方法について説明する。
【００３５】
〔インタラクティブコンテンツ判別方法〕
図２は、ＢＤＭＶのデータ構造を示す図である。図２に示すように、ＢＤＭＶは、ｉｎｄｅｘ．ｂｄｍｖ、ＭｏｖｉｅＯｂｊｅｃｔ．ｂｄｍｖ、ＰＬＡＹＬＩＳＴ、ＣＬＩＰＩＮＦ、ＳＴＲＥＡＭ、ＡＵＸＤＡＴＡ、及びＢＡＣＫＵＰのディレクトリ構成を有する。
【００３６】
インタラクティブコンテンツ判断部１１３は、ＢＤ内部のＩｎｄｅｘ ｔａｂｌｅ ｆｉｌｅ（ｉｎｄｅｘ．ｂｄｍｖ）ファイルを解析する。
【００３７】
Ｉｎｄｅｘ ｔａｂｌｅ ｆｉｌｅには、ＢＤ内部に含まれるタイトル（コンテンツ）の情報が含まれている。
【００３８】
このタイトルには以下の三種類が存在する。
・Ｆｉｒｓｔ Ｐｌａｙｂａｃｋ
ディスクが挿入されて最初に実行されるタイトル、ディスク内に１つのみ。
・ＴｏｐＭｅｎｕ
リモコンの「メニュー」ボタン等が押されたときに実行されるメニューに相当するタイトル、ディスク内に１つのみ。
・Ｔｉｔｌｅ
上記以外のタイトルは、１枚のディスクに複数存在可能である。
【００３９】
各タイトルはＭｏｖｉｅ Ｏｂｊｅｃｔ（映像音声のタイトル）かＢＤ−Ｊ Ｏｂｊｅｃｔ（ＢＤ−Ｊが実行されるインタラクティブタイトル）のどちらかである。
【００４０】
ここで、Ｆｉｒｓｔ Ｐｌａｙｂａｃｋが、Ｍｏｖｉｅ ＯｂｊｅｃｔかＢＤ−Ｊ Ｏｂｊｅｃｔであるかは、Ｉｎｄｅｘ ｔａｂｌｅ ｆｉｌｅのFirstPlayback_object_typeフィールドで判断できる。
【００４１】
ＴｏｐＭｅｎｕが、Ｍｏｖｉｅ ＯｂｊｅｃｔかＢＤ−Ｊ Ｏｂｊｅｃｔであるかは、Ｉｎｄｅｘ ｔａｂｌｅ ｆｉｌｅのTopMenu_object_typeフィールドで判断できる。
【００４２】
Ｔｉｔｌｅが、Ｍｏｖｉｅ ＯｂｊｅｃｔかＢＤ−Ｊ Ｏｂｊｅｃｔであるかは、Ｉｎｄｅｘ ｔａｂｌｅ ｆｉｌｅの各タイトル中のTitle_object_typeフィールドで判断できる。
【００４３】
例えば、上記のフィールドが２進数表記で「０１」の場合、そのタイトルはＭｏｖｉｅ
Ｏｂｊｅｃｔであり、２進数表記で「１０」の場合、タイトルはＢＤ−Ｊ Ｏｂｊｅｃｔである。
【００４４】
インタラクティブコンテンツ判断部１１３は、上記判断基準に基づいて、Ｉｎｄｅｘ ｔａｂｌｅ ｆｉｌｅに含まれる全てのタイトルがＭｏｖｉｅ ＯｂｊｅｃｔかＢＤ−Ｊ Ｏｂｊｅｃｔかを判断する。ディスク中に一つでもＢＤ−Ｊ Ｏｂｊｅｃｔが存在した場合、インタラクティブコンテンツ判断部１１３は、そのディスクに「インタラクティブコンテンツが含まれる」と判断する。
【００４５】
次に、ＢＤ再生装置１１０及び表示・操作装置１２０の特徴動作について説明する。
【００４６】
〔ＢＤ再生装置１１０の特徴動作〕
ＢＤ再生装置１１０のインタラクティブコンテンツ判断部１１３は、ＢＤコンテンツがインタラクティブコンテンツ（ＢＤ−Ｊ／ＢＤ−Ｌｉｖｅ等）を再生中であることを動的に判断し、判断結果を通信部１１５を介して表示・操作装置１２０に通知する。
【００４７】
〔表示・操作装置１２０の特徴動作〕
図３乃至図５は、表示部１２１の表示例を示す図である。図３乃至図５に示すように、表示部１２１の表示画面２００は、コンテンツ表示領域２１０と、コンテンツ表示領域２１０上部の状態表示領域２２０とを有する。状態表示領域２２０には、ディスクがＢＤであることを示すＢＤ、トラック、及び再生時間が表示される。
【００４８】
ＨＭＩ制御部１２３は、再生中のコンテンツがインタラクティブコンテンツであること判断し、以下のような制御を行う。
【００４９】
（１）インタラクティブコンテンツを含むディスクである旨を表示する（図３Ｂ参照）。インタラクティブコンテンツを含むディスクである旨は、状態表示領域２２０の「ＢＤ−Ｊ」２２１で示される。
【００５０】
（２）インタラクティブコンテンツ再生中である旨を表示する（図３Ａ参照）。インタラクティブコンテンツ再生中は、状態表示領域２２０に、ＢＤ、トラック、及び再生時間が表示される。
【００５１】
（３）インタラクティブコンテンツ再生中に表示できない項目（トラック番号、再生時間等）を消去する（図３Ｂ参照）。インタラクティブコンテンツ再生中に表示できない項目の場合は、状態表示領域２２０のトラック、及び再生時間がブランクで表示される。
【００５２】
（４）電源断後の再開時にレジューム不可であること（ディスクの先頭又はインタラク
ティブコンテンツの先頭から再開してしまうこと）を表示、及び／又は音声により通知する（図４Ｂ参照）。電源断後の再開時にレジューム不可である場合は、コンテンツ表示領域２１０中央に、コンテンツ表示領域２１０のほぼ全面に「インタラクティブコンテンツのため電源断後にレジュームできません」２２２を表示する。レジュームとは、ユーザが任意の映像箇所で停止して電源断し、電源復帰後再び該当箇所から映像・音声を再開することである。ユーザは、ＢＤがレジュームできないこと、すなわち、再開時にレジュームされないことが操作ミス・故障などに起因しないことをあらかじめ理解しておくことができる。
【００５３】
（５）インタラクティブコンテンツの操作に必要なＵＩ２２３を表示する（図５Ｂ参照）。インタラクティブコンテンツでない場合は、タッチパネルによる動的なＵＩ変更を利用して、該当ＵＩを消去する（図５Ａ参照）。
【００５４】
図６は、ＢＤ再生装置１１０のインタラクティブコンテンツ通知処理を示すフロー図である。本フローは、所定イベント毎に実行される。図中、Ｓはフローの各ステップを示す。
【００５５】
ステップＳ１では、ディスク読込部１１１は、映像・音声以外の制御データを受信する。
【００５６】
ステップＳ２では、インタラクティブコンテンツ判断部１１３は、インタラクティブコンテンツを含むか否かを判断する。インタラクティブコンテンツを含むか否かの判断方法については、上述した。
【００５７】
インタラクティブコンテンツが含まれない場合は、ステップＳ３でインタラクティブコンテンツ判断部１１３は、通信部１１５に「インタラクティブコンテンツを含まない」「インタラクティブコンテンツ停止中」と通知して本フローを終了する。通信部１１５は、表示・操作装置１２０の通信部１２４にこの通知結果を送信する。
【００５８】
インタラクティブコンテンツが含まれる場合は、ステップＳ４でインタラクティブコンテンツ判断部１１３は、インタラクティブコンテンツを再生するか否かを判断する。インタラクティブコンテンツを再生するか否かは、自動再生モードのほか、ユーザ操作による。
【００５９】
インタラクティブコンテンツを再生しない場合は、ステップＳ５でインタラクティブコンテンツ判断部１１３は、通信部１１５に「インタラクティブコンテンツを含む」「インタラクティブコンテンツ停止中」と通知して本フローを終了する。通信部１１５は、表示・操作装置１２０の通信部１２４にこの通知結果を送信する。
【００６０】
インタラクティブコンテンツを再生する場合は、ステップＳ６でインタラクティブコンテンツ判断部１１３は、インタラクティブコンテンツ再生部１１４にコンテンツ再生を指示する。
【００６１】
ステップＳ７では、インタラクティブコンテンツ判断部１１３は、通信部１１５に「インタラクティブコンテンツを含む」「インタラクティブコンテンツ再生中」と通知して本フローを終了する。通信部１１５は、表示・操作装置１２０の通信部１２４にこの通知結果を送信する。
【００６２】
図７及び図８は、表示・操作装置１２０のインタラクティブコンテンツ出力処理を示すフロー図である。
【００６３】
ステップＳ１１では、操作部１２２は、入力情報を取得する。
【００６４】
ステップＳ１２では、ＨＭＩ制御部１２３は、操作部１２２からの入力があるか否かを判別し、入力がある場合はステップＳ１３に進み、入力がない場合はステップＳ１４に進む。
【００６５】
ステップＳ１３では、ＨＭＩ制御部１２３は、通信部１２４にＢＤ再生装置１１０の制御を指示する。ここでは、ＨＭＩ制御部１２３は、ＢＤ再生装置１１０の状態を取得する制御である。
【００６６】
ステップＳ１４では、ＨＭＩ制御部１２３は、通信部１２４からＢＤ再生装置１１０の状態を取得する。
【００６７】
ステップＳ１５では、ＨＭＩ制御部１２３は、インタラクティブコンテンツを含むか否かを判別する。ＨＭＩ制御部１２３は、通信部１２４を介して、ＢＤ再生装置１１０から受信したインタラクティブコンテンツ通知により、インタラクティブコンテンツを含むか否かを判別することができる。
【００６８】
インタラクティブコンテンツを含まない場合は、ステップＳ１６でＨＭＩ制御部１２３は、インタラクティブコンテンツを含まないディスクであることを表示部１２１に出力して本フローを終了する。表示部１２１は、図３Ａに示すようにインタラクティブコンテンツを含まないディスクであることを表示する。
【００６９】
上記ステップＳ１５でインタラクティブコンテンツを含む場合は、ステップＳ１７でＨＭＩ制御部１２３は、インタラクティブコンテンツを含むディスクであることを表示部１２１に出力する。
【００７０】
ステップＳ１８では、ＨＭＩ制御部１２３は、インタラクティブコンテンツの再生開始時か否かを判別し、インタラクティブコンテンツの再生開始時でない場合は本フローを終了する。
【００７１】
インタラクティブコンテンツの再生開始時の場合は、ステップＳ１９でＨＭＩ制御部１２３は、インタラクティブコンテンツ操作用のＵＩを表示部１２１に出力する。表示部１２１は、図５Ｂに示すようにインタラクティブコンテンツ操作用のＵＩ２２３を表示する。
【００７２】
ステップＳ２０では、ＨＭＩ制御部１２３は、電源断後の再開時にレジュームできないことを表示部１２１に出力する。表示部１２１は、図４Ｂに示すようにコンテンツ表示領域２１０のほぼ全面に「インタラクティブコンテンツのため電源断後にレジュームできません」２２２を表示する。
【００７３】
電源断後にレジュームできないことは、音声により通知してもよい。例えば、図示しない音声合成ＬＳＩが音声によりユーザに通知してもよい。また、表示と音声の両方でユーザに通知してもよい。
【００７４】
ステップＳ２１では、ＨＭＩ制御部１２３は、インタラクティブコンテンツの再生終了時か否かを判別し、インタラクティブコンテンツの再生終了時でない場合は本フローを終了する。
【００７５】
インタラクティブコンテンツの再生終了時の場合は、ステップＳ２２でＨＭＩ制御部１２３は、映像・音声操作用のＵＩを表示部１２１に出力する。表示部１２１は、図５Ｂに示すようにインタラクティブコンテンツ操作用のＵＩ２２３を表示する。
【００７６】
ステップＳ２３では、ＨＭＩ制御部１２３は、インタラクティブコンテンツを再生中か否かを判別し、インタラクティブコンテンツを再生中の場合はステップＳ２４に進み、インタラクティブコンテンツを再生中でない場合はステップＳ２６に進む。
【００７７】
ステップＳ２４では、ＨＭＩ制御部１２３は、インタラクティブコンテンツの再生中であることを表示部１２１に出力する。表示部１２１は、図３Ａに示すようにインタラクティブコンテンツの再生中であることを表示する。
【００７８】
ステップＳ２５では、ＨＭＩ制御部１２３は、インタラクティブコンテンツの再生時に表示できない項目（例えばトラック番号等）を削除して表示部１２１に出力する。表示部１２１は、図３Ｂに示すようにインタラクティブコンテンツの再生時に表示できない項目を削除して表示する。
【００７９】
上記ステップＳ２３でインタラクティブコンテンツを再生中でない場合は、ステップＳ２６でＨＭＩ制御部１２３は、インタラクティブコンテンツの再生中の表示を削除して表示部１２１への出力を行う。表示部１２１は、図５Ａに示すようにインタラクティブコンテンツの再生時に表示できない項目を削除して表示を行う。
【００８０】
ステップＳ２７では、ＨＭＩ制御部１２３は、インタラクティブコンテンツの再生時に表示できない項目を表示して表示部１２１への出力を行う。表示部１２１は、図５Ｂに示すようにインタラクティブコンテンツの再生時に表示できない項目を削除して表示を行う。
【００８１】
以上詳細に説明したように、本実施の形態によれば、ＢＤ再生システム１００は、ＢＤ再生装置１１０と、表示・操作装置１２０とから構成される。ＢＤ再生装置１１０は、インタラクティブコンテンツ判断部１１３を備える。インタラクティブコンテンツ判断部１１３は、ディスク読込部１１１から受け取った制御データを解析する。そして、インタラクティブコンテンツ判断部１１３は、ディスクがインタラクティブコンテンツを含むか、また含んでいた場合は、インタラクティブコンテンツを再生すべきかどうかを判断する。また、表示・操作装置１２０は、通信部１２４からの入力によりＢＤ再生装置１１０の状態を判断し、適切なＨＭＩを表示するＨＭＩ制御部１２３を備える。ＨＭＩ制御部１２３は、インタラクティブコンテンツであると判別した場合、インタラクティブコンテンツであることをユーザに通知する制御を行う。
【００８２】
以上の制御により、ＨＭＩ制御部１２３がインタラクティブコンテンツ時に適切な表示を提供することで、ユーザが迅速に状況を把握することが可能になる。
【００８３】
また、状況に応じて必要な操作体系を提示することができ、ユーザが混乱なく操作することができる。特に、インタラクティブコンテンツの場合には、電源断後のレジューム不可を知らせることで、無用な混乱を未然に回避することができる。具体的には、パーソナルコンピュータ（以下、ＰＣという）の分野ではメモリ内の情報を全て保存する等の方法でレジューム機能が実現可能である。それゆえ、ＰＣに慣れているユーザは、車載機器で実行されるインタラクティブコンテンツもレジュームされると思いがちであると想定される。しかしながら、車載機器の分野では、メモリ容量や電源環境の制約などにより、レジューム機能を実装することは容易ではない。このため、本実施の形態のように、予めレジューム機能が無いことをユーザに通知することは、ユーザの無用な混乱を回避するために
有益である。以上のように、本実施の形態は、車載環境で用いられるマルチメディア機器制御システムに適用して好適である。
【００８４】
以上の説明は本発明の好適な実施の形態の例証であり、本発明の範囲はこれに限定されることはない。
【００８５】
例えば、ＢＤ再生装置１１０と表示・操作装置１２０が別体であるが、一体であってもよい。またＢＤ再生装置１１０と表示・操作装置１２０とを繋ぐ伝送路はどのようなものでもよい。伝送路には、例えば、ＩＥＥＥ（Institute of Electrical and Electronics Engineers）１３９４ High Performance Serial Bus（以下、ＩＥＥＥ１３９４）規格、又はＭＯＳＴ（Media Oriented Systems Transport）により規定されるバス型のネットワークがある。また、通信方式は有線、無線いずれでもよい。
【００８６】
また、本実施の形態では、説明の便宜上、ＢＤ再生システムという名称を用いたが、機器連携装置、車載通信装置、マルチメディア機器制御システム等の名称であってもよいことは勿論である。
【００８７】
さらに、上記ＢＤ再生システムを構成する各回路部、例えば通信部、表示部等の種類、数及び接続方法などは前述した実施の形態に限られない。
【００８８】
また、以上説明したＢＤ再生システムを機能させるためのプログラムでも実現されてもかまわない。このプログラムはコンピュータで読み取り可能な記録媒体に格納されている。
【００８９】
２００８年１０月２４日出願の特願２００８−２７４８７７の日本出願に含まれる明細書、図面及び要約書の開示内容は、すべて本願に援用される。
【産業上の利用可能性】
【００９０】
本発明に係るＢＤ再生システム、ＢＤ再生装置、表示装置及びコンピュータプログラムは、車載環境におけるマルチメディア機器に有用である。また、車載環境に限らず、ＢＤ再生部と表示・操作部とが連携した機器連携装置であればどのような装置も適用できる。
【符号の説明】
【００９１】
１００  ＢＤ再生システム
１１０  ＢＤ再生装置
１２０  表示・操作装置
１１１  ディスク読込部
１１２  映像音声復号部
１１３  インタラクティブコンテンツ判断部
１１４  インタラクティブコンテンツ再生部
１１５，１２４  通信部
１２１  表示部
１２２  操作部
１２３  ＨＭＩ制御部
【手続補正２】
【補正対象書類名】特許請求の範囲
【補正対象項目名】全文
【補正方法】変更
【補正の内容】
【特許請求の範囲】
【請求項１】
ＢＤ（Blu-ray Disc）コンテンツを再生するＢＤ再生装置と、前記ＢＤ再生装置から伝送されるＢＤコンテンツを表示する表示装置とを備えるＢＤ再生システムであって、
再生中コンテンツがインタラクティブコンテンツであることを判別するインタラクティブコンテンツ判別部と、
前記インタラクティブコンテンツであると判別した場合、インタラクティブコンテンツであることをユーザに通知する制御を行う制御部と、
を備えるＢＤ再生システム。
【請求項２】
ＵＩ（User Interface）部を備え、
前記制御部は、前記インタラクティブコンテンツであると判別した場合、前記ＵＩ部によるＵＩを変える請求項１記載のＢＤ再生システム。
【請求項３】
前記ＢＤ再生装置は、電源復帰後、再び該当箇所から映像・音声を再開するレジューム機能を有し、
前記制御部は、前記インタラクティブコンテンツであると判別した場合、前記レジューム不可であることを通知する請求項１記載のＢＤ再生システム。
【請求項４】
前記制御部は、前記インタラクティブコンテンツ中に表示できない項目を消去する請求項１記載のＢＤ再生システム。
【請求項５】
ＢＤ（Blu-ray Disc）コンテンツを再生するＢＤ再生装置であって、
再生中コンテンツがインタラクティブコンテンツであることを判別するインタラクティブコンテンツ判別部と、
前記インタラクティブコンテンツ判別部における判別結果を、前記ＢＤ再生装置の通信相手である外部機器に送信する通信部と、
を備えるＢＤ再生装置。
【請求項６】
ＢＤ（Blu-ray Disc）再生装置から伝送されてくるＢＤコンテンツを表示する表示装置であって、
前記ＢＤ再生装置は、再生中コンテンツがインタラクティブコンテンツであることを判別すると、その判別結果を前記表示装置に送信し、
前記表示装置は、
前記ＢＤ再生装置からの判別結果を受信する通信部と、
前記通信部が判別結果を受け取ると、現在インタラクティブコンテンツが再生されていることをユーザに通知する制御を行う制御部と、
を備える表示装置。
【請求項７】
ＢＤ（Blu-ray Disc）コンテンツを再生するＢＤ再生装置と、前記ＢＤ再生装置から伝送されるＢＤコンテンツを表示する表示装置とを備えるＢＤ再生システム向けのコンピュータプログラムであって、
再生中コンテンツがインタラクティブコンテンツであることを判別するための処理を前記ＢＤ再生装置に実行させるインタラクティブコンテンツ判別ステップと、
前記インタラクティブコンテンツであると判別した場合、インタラクティブコンテンツであることをユーザに通知するための処理を前記表示装置に実行させる制御ステップと、
を備えるコンピュータプログラム。
【請求項８】
ＢＤ（Blu-ray Disc）コンテンツを再生するＢＤ再生装置向けのコンピュータプログラムであって、
再生中コンテンツがインタラクティブコンテンツであることを判別するための処理をコンピュータに実行させるインタラクティブコンテンツ判別ステップと、
前記インタラクティブコンテンツ判別ステップにおける判別結果を、前記ＢＤ再生装置の通信相手となる外部機器に送信するための処理をコンピュータに実行させる通信ステップと、
を備えるコンピュータプログラム。
【請求項９】
ＢＤ（Blu-ray Disc）再生装置から伝送されてくるＢＤコンテンツを表示する表示装置向けのコンピュータプログラムであって、
前記ＢＤ再生装置は、再生中コンテンツがインタラクティブコンテンツであることを判別すると、その判別結果を前記表示装置に送信し、
前記コンピュータプログラムは、
前記ＢＤ再生装置からの判別結果を受信するための処理をコンピュータに実行させる通信ステップと、
前記コンピュータが判別結果を受け取ると、現在インタラクティブコンテンツが再生されていることをユーザに通知する制御をコンピュータに実行させる制御ステップと、
を備えるコンピュータプログラム。
【手続補正３】
【補正対象書類名】図面
【補正対象項目名】全図
【補正方法】変更
【補正の内容】
【図１】
2010047123.tif 000011
【図２】
2010047123.tif 000012
【図３】
2010047123.tif 000013
【図４】
2010047123.tif 000014
【図５】
2010047123.tif 000015
【図６】
2010047123.tif 000016
【図７】
2010047123.tif 000017
【図８】
2010047123.tif 000018
【国際調査報告】
2010047123.tif 000019
2010047123.tif 000020
2010047123.tif 000021